(57)【要約】【課題】簡単な装置構成により既存のシステムを利用して業務指標をタイムリーに演算して掲示する。【解決手段】ＲＯＭ１９は業務指標の演算式と演算に必要なデータが存在するネットワーク上の場所または機器の番地データとを保持する。ＲＡＭ２１は制御系ＬＡＮに接続された機器からの収集データを一次的に保持する制御系ＬＡＮデータ格納エリアと演算された業務指標を掲示するデータ掲示エリアとを持つ。ＣＰＵ７は、業務指標のデータ要求があった場合には、ＲＯＭ１９内の該当する演算式と演算に使用されるデータの存在する場所または機器を特定する番地データとをＲＯＭ１９内から抽出する番地データ抽出機能と、抽出された番地データに基づきネットワークを介してデータを取得するデータ取得機能と、取得されたデータと演算式とから業務指標を演算する演算機能と、演算された業務指標をＲＡＭ２１のデータ掲示エリアに掲示する掲示機能とを有する。【選択図】図２
2008257588.tif 000002
【特許請求の範囲】
【請求項１】
ネットワークを介して必要なデータを収集し、収集されたデータに基づいて水道事業等における業務指標（PI:Performance Indicators）を演算して掲示する業務指標演算装置であって、
前記ネットワークを介してデータの授受を行う通信部と、
業務指標を演算するための演算式、および業務指標の演算に必要なデータが存在するネットワーク上の場所または機器を特定するための番地データを少なくとも保持するＲＯＭと、ネットワークを構成する制御系ＬＡＮに接続された機器からの収集データを一次的に保持する制御系ＬＡＮデータ格納エリアと、前記演算式を用いて演算された業務指標を掲示するデータ掲示エリアとを少なくとも持つＲＡＭとから成るメモリ部と、
業務指標のデータ要求があった場合には、前記ＲＯＭ内の該当する演算式と、この演算式に使用されるデータの存在する場所または機器を特定する番地データとを前記ＲＯＭ内から抽出する番地データ抽出機能と、抽出された番地データに基づき前記ネットワークを介してデータを取得するデータ取得機能と、取得されたデータと前記演算式とから業務指標を演算する演算機能と、演算された業務指標を前記ＲＡＭのデータ掲示エリアに掲示する掲示機能とを少なくとも有する制御部と、
を備えたことを特徴とする業務指標演算装置。
【請求項２】
請求項１に記載の業務指標演算装置において、
前記ＲＯＭ及びＲＡＭのみを前記メモリ部として持ち、ハードディスクを持たないことを特徴とする業務指標演算装置。
【請求項３】
請求項１または２に記載の業務指標演算装置において、
クライアント端末から前記ネットワークを介して業務指標のデータ要求があった場合、前記制御部は、データ要求に基づいて前記ＲＯＭ内の該当する演算式とこの演算式に使用されるデータの存在する場所または機器を特定する番地データとを前記ＲＯＭ内から抽出し、抽出された番地データに基づき前記ネットワークを介してデータを取得し、取得されたデータと前記演算式とから業務指標を演算し、演算された業務指標を前記ＲＡＭのデータ掲示エリアに掲示し、
前記クライアント端末はデータ掲示エリアをアクセスすることによりに掲示された業務指標を取得可能にする
ことを特徴とする業務指標演算装置。
【発明の詳細な説明】
【技術分野】
【０００１】
本発明は、水道事業等における業務指標（PI:Performance Indicators）を演算して掲示する業務指標演算装置に関する。
【背景技術】
【０００２】
浄水場や下水処理場等、公共の水処理事業を行う施設の運転制御、水質管理、設備保全管理業務等を支援する水処理事業支援システムとしては、従来、特許文献１や特許文献２に記載のシステムがある。
【０００３】
特許文献１のシステムは、浄水場や下水処理場、広域管理センター等の公共の水処理、配水管理を行う契約事業者に、インターネットブラウザ機能を有するＰＣ（パーソナルコンピュータ装置）等を操作させるだけで、データ管理サービス、データ処理、加工サービス、監視制御支援サービス、各種解析、シミュレーション用アプリケーションなどのサービス、広域情報のサービスなどを利用させることができるというものである。
【０００４】
また、特許文献２のシステムは、水道事務業務を行う情報系ネットワークシステムと、この情報系ネットワークシステムとネットワーク的に分離され、水道プラントの運転を行うプロセス系ネットワークシステムと、情報系ネットワークシステムとプロセス系ネットワークシステムとに接続すると共に、プロセス系ネットワークシステムからのデータを保持し、情報系ネットワークシステムに供給する統括プロセス情報サーバとを備え、安全性、信頼性を維持しつつ、情報伝達の迅速化や情報の共有化を図った水道事業システムを実現するようにしている。
【０００５】
一方、水道事業における業務指標（PI:Performance Indicators）は、水道業務の効率を図るために活用できる規格の一種で、水道事業体が行っている多方面にわたる業務を定量化し、厳密に定義された算定式により評価するものである。現在、世界で使用されている業務指標には、発展途上国の水道を意識した世界水協会（ＩＷＡ）の業務指標がある。この指標は、水道事業の業務を網羅するために、水源、職員、施設、運転管理、サービス、財政などにわたる１３８の指標を定義している（非特許文献１参照）。
【０００６】
水道事業における業務指標には、水源利用率、貯水能力、配水管密度、漏水率、断水率、普及率等、多種に渡っており、夫々の指標に対して演算式が定められている。従来、これらの業務指標を演算するに当たっては、先ず、これらの演算の元になるデータを蓄積したデータベースをアクセスして、このデータベースから読み出したデータに基づいて演算式に当てはめて演算している。業務指標を算出することにより、業務の見直しや水道事業の効率的な運用を図ることが可能になる。
【特許文献１】特開２００２−２５１５０５号公報
【特許文献２】特開２０００−１１２５２０号公報
【非特許文献１】“第４回水道ヒ゛シ゛ョン検討会、資料10”        http://www.mhlw.go.jp/topics/bukyoku/kenkou/suido/4/siryou110.pdf
【発明の開示】
【発明が解決しようとする課題】
【０００７】
しかしながら、業務指標の算出は算出に必要なデータベースが構築されているパソコン上では可能であるが、特許文献１，２に記載のような一般的な水処理事業支援システムでは不可能であった。すなわち、通常、業務指標の算出には、多数のデータを必要としており、これらのデータは水道局内等の中央のデータベースサーバ内に保存されているもので、個々の端末側（パソコン側）で保持することは難しく、また実用的でない。また、データベースサーバが構築される水道局内システム（情報システム・機場監視システム等）は、固有のアプリケーションの利用に限定したデータベースである為、業務指標の演算など他のアプリケーションからの活用はできなかった。
【０００８】
さらに、従来、複数のシステムが持つデータを相互に利用するためには、各々のシステムのデータ構造や所在を併せたデータを収集するアプリケーションの開発が必要で、開発コスト（期間、費用）が膨大となる。
【０００９】
また、データの利用部門が多部門に渡る場合、ローカルデータベース変更の影響が多部門に渡り、データの整合性が取れないという問題がある。
【００１０】
本発明は上記事情に鑑み、水道ＩＳＯによる各事業体の業務指標（ＰＩ）の公開に際し、簡単な装置構成により既存のシステムを利用して業務指標をタイムリーに演算して掲示することができるとともに、データベースの二重管理の抑制が可能な業務指標演算装置を提供することを目的としている。
【課題を解決するための手段】
【００１１】
上記の目的を達成するために本発明は、ネットワークを介して必要なデータを収集し、収集されたデータに基づいて水道事業等における業務指標（PI:Performance Indicators）を演算して掲示する業務指標演算装置であって、前記ネットワークを介してデータの授受を行う通信部と、業務指標を演算するための演算式、および業務指標の演算に必要なデータが存在するネットワーク上の場所または機器を特定するための番地データを少なくとも保持するＲＯＭと、ネットワークを構成する制御系ＬＡＮに接続された機器からの収集データを一次的に保持する制御系ＬＡＮデータ格納エリアと、前記演算式を用いて演算された業務指標を掲示するデータ掲示エリアとを少なくとも持つＲＡＭとから成るメモリ部と、業務指標のデータ要求があった場合には、前記ＲＯＭ内の該当する演算式と、この演算式に使用されるデータの存在する場所または機器を特定する番地データとを前記ＲＯＭ内から抽出する番地データ抽出機能と、抽出された番地データに基づき前記ネットワークを介してデータを取得するデータ取得機能と、取得されたデータと前記演算式とから業務指標を演算する演算機能と、演算された業務指標を前記ＲＡＭのデータ掲示エリアに掲示する掲示機能とを少なくとも有する制御部とを備えたことを特徴としている。
【００１２】
また、本発明の業務指標演算装置は、ＲＯＭ及びＲＡＭのみをメモリ部として持ち、ハードディスクを持たないことを特徴としている。
【００１３】
また、クライアント端末から前記ネットワークを介して業務指標のデータ要求があった場合、前記制御部は、データ要求に基づいて前記ＲＯＭ内の該当する演算式とこの演算式に使用されるデータの存在する場所または機器を特定する番地データとを前記ＲＯＭ内から抽出し、抽出された番地データに基づき前記ネットワークを介してデータを取得し、取得されたデータと前記演算式とから業務指標を演算し、演算された業務指標を前記ＲＡＭのデータ掲示エリアに掲示し、前記クライアント端末はデータ掲示エリアをアクセスすることにより掲示された業務指標を取得可能にする。
【発明の効果】
【００１４】
本発明によれば、水道ＩＳＯによる各事業体の業務指標（ＰＩ）の公開に際し、簡単な装置構成により既存のシステムを利用して業務指標をタイムリーに演算して掲示することができる。また、データベースの二重管理の抑制（データの時刻、内容の統一）が可能となり、専用データベース構築コストを削減することができる。
【発明を実施するための最良の形態】
【００１５】
〈実施形態の構成〉
図１は本発明による業務指標演算装置の実施形態を示す構成図である。
【００１６】
図１に示すように、業務指標（ＰＩ）演算装置１は、インターネット３を介して各プラント監視システム５と接続され、ＣＰＵ７と、メモリ９と、複数の通信装置１３，１５，１７を備えて構成されている。メモリ９は、さらにＩＰアドレス計算式格納用ＲＯＭ１９とデータ掲示用ＲＡＭ２１のみを備えて成るディスクレスな（データの蓄積をしない）装置である。なお、以下の説明では、業務指標演算装置を適宜、ＰＩＳ（Performance Indicators Serverの略)とも記載する。
【００１７】
ＩＰアドレス計算式格納用ＲＯＭ１９には、図２に示すように、業務指標を演算するための演算式と、業務指標の演算に必要なデータが存在するネットワーク上の場所または機器を特定するためのＩＰアドレスとそのＩＰアドレス内のデータアドレスとが保存されている。
【００１８】
また、ＲＡＭ２１は、ネットワークを構成する制御系ＬＡＮに接続された機器からの収集データを一次的に保持する制御系ＬＡＮデータ格納エリアと、演算式を用いて演算された業務指標を掲示するデータ掲示エリアとを備えている。
【００１９】
通信装置１３は、ネットワークを構成するインターネットに接続されることによりインターネットを介してデータの授受を行う。また、通信装置１５と通信装置１７はプラント監視システムにそれぞれ接続され、通信装置１５はネットワークを構成する情報系ＬＡＮに接続されることにより情報系ＬＡＮを介してデータの授受を行う。通信装置１７はネットワークを構成する制御系ＬＡＮに接続されることにより制御系ＬＡＮを介してデータの授受を行う。
【００２０】
ＣＰＵ７は、業務指標のデータ要求があった場合には、ＲＯＭ１９内の該当する演算式と、この演算式に使用されるデータの存在する場所または機器を特定する番地データ（ＩＰアドレスとそのＩＰアドレス内のデータアドレス）とをＲＯＭ１９内から抽出する番地データ抽出機能と、抽出された番地データに基づきネットワークを介してデータを取得するデータ取得機能と、取得されたデータと前記演算式とから業務指標を演算する演算機能と、演算された業務指標をＲＡＭ２１のデータ掲示エリアに掲示する掲示機能とを少なくとも有する。
【００２１】
図３には、上述した業務指標演算装置１を使用したシステム構成が示されている。図３に示すように、業務指標演算装置１はプラント監視システムの情報系ＬＡＮ及び制御系ＬＡＮに接続され、情報系ＬＡＮ上と制御系ＬＡＮ上のデータを直接使用することができる装置である。また、インターネットに接続されており広域的にデータのやりとりができる装置である。業務指標演算装置１は機能としてゲートウェイ機能、データ演算機能、データ展開機能、データ掲示機能を有している。
【００２２】
〈実施形態の作用〉
次に、上記構成の業務指標演算装置１の作用を説明する。
【００２３】
現在の情報システムではデータベースの構造が固有のアプリケーションでの利用に限定されているため、点在するデータベースのデータを使用した値の要求は不可能である。しかし業務指標演算装置１では、データベースの情報（データ）の保存場所（アドレス）にアクセスすることにより、各システムのデータを直接使用したデータの演算が可能となる。
【００２４】
今仮に、図２に示すＰＩＳ構造から、例えばクライアントであるＷｅｂＰＣがインターネット３を介して浄水場ＰＩＳ（ＩＰアドレス：ＰＰＰ．ＱＱＱ．ＲＲＲ）１に対して業務指標ＰＩ（１）のデータ要求を行ったとする。
【００２５】
このデータ要求に応じて浄水場ＰＩＳ１は、ＰＩ（１）の演算式及び必要なデータのアドレスに対しアクセス処理を実行する。データＡについては、その保存場所である水道局業務システム（ＩＰアドレス：ＡＡＡ．ＢＢＢ．ＣＣＣ）に対しデータアドレス８のデータの要求を行って、データＡを取得する。同様にデータＢについては配水場ＰＩＳ（ＩＰアドレス：ＸＸＸ．ＹＹＹ．ＺＺＺ）に対しデータアドレス２のデータの要求を行ってデータＢを取得する。データＣについては自装置である浄水場ＰＩＳ１内のＲＡＭ２１における制御系ＬＡＮデータ格納エリアのデータアドレス４に対してデータ取得を行いデータＣを取得する。ＰＩ（１）の演算式は、
ＰＩ（１）＝（Ａ＋Ｂ）／Ｃ
である。このため、それぞれ取得したデータＡ，Ｂ，Ｃを使用してＰＩ（１）の演算を行う。その演算結果“PI(1)”は、ＲＡＭ２１内に設けられた所定のデータ掲示エリアに格納されて掲示される。クライアントであるＷｅｂＰＣからは、ＲＡＭ２１のアクセスが可能であるため、このＲＡＭ２１のデータをインターネット３を介して自機に取り込めば良い。
【００２６】
一方、浄水場ＰＩＳに代表される業務指標演算装置１は、各システムに点在するデータベースと同じ情報ＬＡＮ及び制御ＬＡＮ上に接続されている。このため、ローカルデータベースの改造を実施した場合には、そのＰＩＳの参照するアドレスを変更することで、他のＰＩＳのアドレスマップを変更することなく業務指標を演算することができる。その結果、データソースに係わる変更を極小化（利用者側に影響を与えないデータの提供）することが可能となる。
【００２７】
〈実施形態の効果〉
業務指標演算装置１の使用により、ネットワーク上に分散する既存システムのデータベースを活用した業務指標の演算が可能になる。これにより、インターネット３を介したデータのやり取りを行い点在するシステムのデータベース利用したネットワーク分散型データベースを概念的に構築することができ、専用データベースを不要にすることができ、構築費用の削減を達成できる。また、業務指標演算装置１はディスクレスな装置であり必要なデータを蓄積することなく業務指標の演算を行うため、データの二重管理を抑制できマスターデータの一元管理により正確な業務指標の演算が可能となる。
【００２８】
〈変形例〉
上述した業務指標演算装置１を設置することで、様々な部門（外部機関、外郭団体、他事業体、他部門・部署）へのデータ提供が可能となる。
【００２９】
例えば、業務指標演算装置１にスキャン伝送機能を持たせることで、情報系ＬＡＮ及び制御系ＬＡＮだけでなくフィールドバスに接続することが可能となり、ＩＰアドレスをもったセンサ等からのデータを直接利用し、業務指標の演算・掲示をすることが可能となる。
【図面の簡単な説明】
【００３０】
【図１】本発明による業務指標演算装置の全体構成を示すブロック図である。
【図２】本発明による業務指標演算装置の詳細な構成を示すブロック図である。
【図３】本発明による業務指標演算装置を用いたシステムの構成を示すブロック図である。
【符号の説明】
【００３１】
１，１Ａ，１Ｂ，１Ｃ：業務指標演算装置（ＰＩＳ）
３：インターネット
５，５Ａ：プラント監視システム  
７：ＣＰＵ  
９：メモリ
１１：情報バス
１３，１５，１７：通信装置
１９：ＩＰアドレス計算式格納用ＲＯＭ
２１：データ掲示用ＲＡＭ
【図１】
2008257588.tif 000003
【図２】
2008257588.tif 000004
【図３】
2008257588.tif 000005